(57)【要約】      （修正有）【課題】耐久性の高い硬質のピースであっても嵌め込み作業が容易なジグソーパズルを提供する。【解決手段】ジグソーパズルは、金属板状の一方のピースに設けられた凸部を他方のピースに設けられた凹部に嵌め込んで組み上げるものである。このピースのおもて面Ｓ１側の縁部２ａとピースの裏面Ｓ２側の縁部２ｂとが面取りされているので、嵌め込みが容易である。また、ピースとピースと嵌め合わせたときにできる溝３，４の開口幅Ｗ１，Ｗ２は、おもて面Ｓ１側が裏面Ｓ２側より広く形成されていることで、おもて面Ｓ１と裏面Ｓ２との識別が容易である。【選択図】図４
0003165114.tif 000002
【実用新案登録請求の範囲】
【請求項１】
硬質板状の一方のピースに設けられた凸部を他方のピースに設けられた凹部に嵌め込んで組み上げるジグソーパズルにおいて、
前記ピースの一面側の縁部と他面側の縁部とが面取りされていることを特徴とするジグソーパズル。
【請求項２】
前記ピースの一面側の縁部と他面側の縁部とが面取りされていることで、前記ピース同士を嵌め合わせたときにできる溝の開口幅は、一面側が他面側より広く形成されている請求項１記載のジグソーパズル。
【請求項３】
前記他面側には、絵柄が設けられている請求項２記載のジグソーパズル。
【請求項４】
前記一面側と、前記他面側とは、異なる表面粗さに形成されている請求項１から３の何れかの項に記載のジグソーパズル。
【考案の詳細な説明】
【技術分野】
【０００１】
本考案は、一方のピースに設けられた凸部を他方のピースに設けられた凹部に嵌め込んで組み上げる硬質板状のジグソーパズルに関するものである。
【背景技術】
【０００２】
ジグソーパズルは、集中力と忍耐力とを必要とする子供から大人まで親しまれている玩具である。このジグソーパズルは、紙製のものが一般的に市場に出回っているが、例えば、特許文献１には、「ジグソーパズル用材」として、紙、木（薄い板状材）、合成樹脂（軟質材、硬質材）、焼成材、石材、織布、不織布、コルク、金属等が例示できると記載されている。
【先行技術文献】
【特許文献】
【０００３】
【特許文献１】特開平１０−３１４４４６号公報
【考案の概要】
【考案が解決しようとする課題】
【０００４】
紙製のジグソーパズルであれば、一方のピースに設けられた凸部を他のピースに設けられた凹部に嵌め込む場合には、ピースの凸部が撓み凹部に嵌合する。しかし、例えば、金属製などの硬質のジグソーパズルでは、紙製に比べれば耐久性が高く劣化しにくい面があるものの、嵌め込み合わせるピース同士の隙間が狭ければ凸部が変形しないため嵌め込みにくくなり、嵌め込みやすくするためにピース同士の隙間を広くすると、ピースを他のピースに嵌め込んでもガタツキついて固定されずズレが生じる。従って、非可撓性の硬質ピースであっても、しっかりと嵌め込むことができつつも、嵌め込み作業がしやすいものが望ましい。
そこで本考案は、耐久性の高い硬質のピースであっても嵌め込み作業が容易なジグソーパズルを提供することを目的とする。
【課題を解決するための手段】
【０００５】
本考案は、硬質板状の一方のピースに設けられた凸部を他方のピースに設けられた凹部に嵌め込んで組み上げるジグソーパズルにおいて、前記ピースの一面側の縁部と他面側の縁部とが面取りされていることを特徴とする。
本考案によれば、一方のピースに設けられた凸部と他方のピースに設けられた凹部とを嵌め合わせる際に、一方のピースと他方のピースとが多少重なり合ったところに位置するが、一方のピースの一面側の縁部と、他方のピースの他面側の縁部とが重なり合って当接しても、面取りされた縁部が摺動しながらピースを嵌め合わせ位置まで案内するので、ピース同士の間に隙間が少なくてもピース同士を容易に嵌め合わせることができる。
【０００６】
前記ピースの一面側の縁部と他面側の縁部とが面取りされていることで、前記ピース同士を嵌め合わせたときにできる溝の開口幅は、一面側が他面側より広く形成されていることで、ピースの一面側および他面側に図柄がなくても、ピースを嵌め合わせたときに一面側と他面側とを溝の開口幅により識別することができる。
【０００７】
前記他面側には、絵柄が設けられているのが望ましい。溝の開口幅が広い一面側に絵柄を設けると、ピース間で絵柄の連続性が途切れてしまい、意匠性が低下する。溝の開口幅が狭い他面側に絵柄を設けることで、溝が与える絵柄への影響が一面側より小さいので、絵柄の意匠性を維持することができる。
【０００８】
前記一面側と、前記他面側とは、異なる表面粗さに形成されているのが望ましい。例えば、ピースの一面側や他面側の両面に絵柄を設けない場合でも、異なる面粗さとすることで、光の反射度合いが異なるため、一面側と他面側とを識別することができる。
【考案の効果】
【０００９】
本考案は、ピース同士の間に隙間が少なくてもピース同士を容易に嵌め合わせることができるので、耐久性の高い硬質のピースであっても嵌め込み作業を容易とすることができる。
【図面の簡単な説明】
【００１０】
【図１】本考案の実施の形態１に係るジグソーパズルと、このジグソーパズルを収納したフレームを示す図面代用写真である。
【図２】本考案の実施の形態１に係るジグソーパズルの一部を示す図であり、（Ａ）はおもて面を示す図、（Ｂ）は裏面を示す図である。
【図３】図１に示すジグソーパズルの２つのピースを上方から見た図である。
【図４】図１に示すジグソーパズルの断面図である。
【図５】（Ａ）から（Ｄ）は、ピース同士を嵌め込む状態を説明するための図である。
【図６】ピースに識別情報を付与した状態を示す図である。
【図７】本考案の実施の形態２に係るジグソーパズルを示す図である。
【考案を実施するための形態】
【００１１】
（実施の形態１）
本考案の実施の形態に係るジグソーパズルを図面に基づいて説明する。なお、本明細書では、ジグソーパズルの一面側をおもて面、他面側を裏面として説明する。
図１に示すジグソーパズルは、金属板状のピースを嵌め込み合わせることで、輪郭形状が長方形状となるものである。おもて面と裏面との両面に印刷等による絵柄を施さず、金属の自然な輝きを放つ意匠性の高いジグソーパズルとしている。また、印刷等による絵柄が施されていないため、難易度の高いジグソーパズルとして遊ぶことができる。ジグソーパズルは、完成後、または組み立て途中の状態のときに、アクリル製のフレームに収納され、保管したり、立て掛けて飾ったりして、玩具として組み上げることの外に、インテリアとしても使用することができる。
【００１２】
図２（Ａ）および同図（Ｂ）に示すように、ジグソーパズル１は、丸みを帯びた略正方形状に形成されたピース２を嵌め込んで組み上げられる。ピース２は、図３に示すように、隣接するピース２と接する各辺に凸部２１または凹部２２が設けられている。これらのピース２の凸部２１が凹部２２に嵌め込まれる。ピース２は、非可撓性の硬質ピースであれば金属製とする他に、硬質で耐久性があれば非金属製でもよい。例えば、ピース２として、金や銀、銅、アルミ、鉄、チタン、またはこれらの合金、真鍮、アルミナまたはジルコニア等のファインセラミックスなど様々な種類の硬質のものが使用できる。本実施の形態では、ピース２として、金属光沢が意匠性を高め、耐腐食性が高い金属の一例であるステンレスにより形成している。
【００１３】
ピース２は、ワイヤー放電加工機により一枚のステンレス鋼板から切り出して形成することができる。ワイヤー放電加工機により切り出すときには、ピース２同士の隙間として０，０１ｍｍ〜０．０５ｍｍを確保している。
【００１４】
図４に示すように、ピース２は、一面側となるおもて面Ｓ１の縁部２ａと、他面側となる裏面Ｓ２の縁部２ｂとが面取りされて、傾斜面２３，２４が形成されている。本実施の形態１では、傾斜面２３，２４が平面に形成されている。傾斜面２３，２４は、マシニングセンターにより形成することができる。
ピース２同士を嵌め合わせたときに、傾斜面２３，２４により、おもて面Ｓ１に溝３ができ、裏面Ｓ２に溝４ができる。この溝３，４の開口幅Ｗ１，Ｗ２は、おもて面Ｓ１側が裏面Ｓ２側より広く形成されている。
【００１５】
また、おもて面Ｓ１と裏面Ｓ２とは、異なる面粗さに形成されている。本実施の形態１では、おもて面Ｓ１より裏面Ｓ２の方が粗面に形成されている。また、傾斜面２３，２４よりおもて面Ｓ１および裏面Ｓ２の方が粗面に形成されている。つまり、本実施の形態１では、面粗さの度合いを比較すると、傾斜面２３，２４＜おもて面Ｓ１＜裏面Ｓ２の順に粗くしている。このおもて面Ｓ１および裏面Ｓ２は、平面研削盤により表面粗さの設定を変えることで形成することができる。
【００１６】
以上のように形成されて本考案の実施の形態１に係るジグソーパズル１の使用状態について、図面に基づいて説明する。
図５（Ａ）に示すように、テーブルや床面に載置された一方のピース２（以下、ピースＰ１と称す。）に設けられた凸部２１と、他方のピース２（以下、ピースＰ２と称す。）に設けられた凹部２２とを嵌め合わせる場合に、ピースＰ１とピースＰ２とが多少重なり合ったところに位置する。
【００１７】
そして、この状態で嵌め込み作業を行うと、図５（Ｂ）に示すように、ピースＰ１のおもて面Ｓ１側の縁部２ａに設けられた面取り面である傾斜面２３と、ピースＰ２の裏面Ｓ２側の縁部２ｂに設けられた面取り面である傾斜面２４とが重なり合って当接する。
しかし、ピースＰ２が傾斜面２３に沿って斜め下方に摺動しながら移動することで、ピースＰ２がピースＰ１に対して嵌め合わせ位置まで案内される。
【００１８】
図５（Ｃ）に示すように、ピースＰ２が嵌め合わせ位置まで案内されることで、ピースＰ１，Ｐ２の重なり合いが解消する。
図５（Ｄ）に示すように、ピースＰ１，Ｐ２の重なり合いが解消することで、ピースＰ２の凹部２２をピースＰ１の凸部２１に嵌め込むことができる。
このように、ピースＰ１，Ｐ２同士の間に隙間が少なくてもピース同士を容易に嵌め合わせることができる。
【００１９】
ピースＰ２をピースＰ１に嵌め合わせる際に、ピースＰ２の裏表がわからなくなる場合がある。しかし、ピースＰ１，Ｐ２のおもて面Ｓ１側の傾斜面２３と裏面Ｓ２側の傾斜面２４とは面取り広さが異なるため、光の反射度合いが異なる。従って、おもて面Ｓ１と裏面Ｓ２とを識別することができる。また、おもて面Ｓ１と裏面Ｓ２とは、異なる表面粗さに形成されており、裏面Ｓ２の方がおもて面Ｓ１より粗面に形成されているため、光の反射度合いが異なる。この点からも、おもて面Ｓ１と裏面Ｓ２とを識別することができる。
【００２０】
また、ピース２を組み始めたときに、ピース２同士の間にできる溝３，４の開口幅Ｗ１，Ｗ２が異なっており、開口幅Ｗ１の方が開口幅Ｗ２より広く形成されているため、誤って裏面Ｓ２をおもてにしてピース２を組み始めても、裏側であることを作業者に気づかせることができる。
【００２１】
このように本実施の形態１に係るジグソーパズル１によれば、面取りされた縁部の傾斜面２３，２４が摺動しながらピース２を嵌め合わせ位置まで案内するので、ピース２同士の間に隙間が少なくてもピース２を容易に嵌め合わせることができる。従って、ジグソーパズル１は、耐久性の高いステンレス製のピース２であっても嵌め込み作業が容易である。
【００２２】
なお、本実施の形態１では、おもて面Ｓ１および裏面Ｓ２の両面とも、絵柄が施されていないが、例えば、図６に示すように、いずれかの面に各ピース２を識別するために、それぞれのピース２に連続した数字を付与するようにしてもよい。また、数字とする以外に、文字、記号などとすることもできる。このように数字、文字、記号などの識別情報を、罫書き、刻印、シール、印刷などで付与することで、ジグソーパズルの完成の手助けとなったり、いずれかのピース２を紛失したときの識別としたりすることができる。
【００２３】
（実施の形態２）
本考案の実施の形態２に係るジグソーパズルを、図面に基づいて説明する。
本実施の形態２に係るジグソーパズルは、溝の開口幅が狭い他面側に絵柄が設けられていることを特徴とするものである。
図２（Ａ）に示すように、溝３の開口幅Ｗ１が広いおもて面Ｓ１側に絵柄を設けると、ピース２間で絵柄の連続性が途切れてしまい、意匠性が低下する。図７に示すように、溝４の開口幅Ｗ２が狭い裏面Ｓ２側に絵柄Ｐを設けることで、溝４が与える絵柄Ｐへの影響がおもて面Ｓ１より小さいので、絵柄Ｐの意匠性を維持することができる。
【００２４】
以上、本発明の実施の形態について説明してきたが、本発明は前記実施の形態に限定されるものではない。例えば、傾斜面２３，２４は平面であったが、円弧面とすることも可能である。しかし、加工の容易性という観点からは、傾斜面２３，２４は平面とするのが望ましい。
【産業上の利用可能性】
【００２５】
本発明は、それぞれのピースを嵌め合わせるジグソーパズルに好適であり、特に、組み合わせることで輪郭形状が長方形状となるジグソーパズルには最適ではある。また、輪郭形状は、三角形、四角形状、五角形などの多角形、円形状、異形状などとする以外に、硬質板状のピースを組み合わせて立体的となるジグソーパズルにも適用できる。
【符号の説明】
【００２６】
１  ジグソーパズル
２  ピース
Ｐ１  一方のピース
Ｐ２  他方のピース
２ａ  おもて面の縁部
２ｂ  裏面の縁部
２１  凸部
２２  凹部
２３，２４  傾斜面
３，４  溝
Ｓ１  おもて面
Ｓ２  裏面
Ｗ１，Ｗ２  開口幅
Ｐ  絵柄
【図２】
0003165114.tif 000003
【図３】
0003165114.tif 000004
【図４】
0003165114.tif 000005
【図５】
0003165114.tif 000006
【図６】
0003165114.tif 000007
【図７】
0003165114.tif 000008
【図１】
0003165114.tif 000009